(57)【特許請求の範囲】
【請求項１】
排水管内の排水栓ロッドの下端部に第１磁石を設け、
該第１磁石の下方の排水管の外側に、第２磁石を軸を介し上下方向に回動可能に設け、
第２磁石が回動されることで、前記第１磁石と第２磁石との間に生じる反発力によって前記排水栓ロッドが上昇するように構成した
ことを特徴とする排水栓の駆動機構。
【請求項２】
排水管内の排水栓ロッドの下端部に第１磁石を設け、
該第１磁石の下方の排水管の外側に、外周にピニオンギヤを備える磁石ホルダと、前記ピニオンギヤと噛合するラックギヤを備え水平方向移動するピストンが設けられ、
第２磁石を保持した前記磁石ホルダを１８０°回動できるように構成し、
該磁石ホルダを回動させて前記第２磁石を裏表反転させることで、該第２磁石と前記第１磁石との間に吸着力あるいは反発力を生じさせて前記排水栓ロッドが昇降するように構成した
ことを特徴とする排水栓の駆動機構。
【請求項３】
前記第１磁石および第２磁石は、共に円柱形に形成され、
第１磁石の直径よりも第２磁石の直径が１０％以上大径に設定されている
ことを特徴とする請求項１または請求項２に記載の排水栓の駆動機構。
【請求項４】
前記排水栓ロッドの上端に設けられている栓本体の直下の前記排水管内に、該排水管内の流路面積を狭めるヘアキャッチャーを前記栓本体の開閉動作に対し独立した状態に配設し、
前記栓本体が開かれた時に前記排水管内に流下する水が前記ヘアキャッチャーにより抵抗を受けて該排水管内の圧力が高まるように構成した
ことを特徴とする請求項１〜請求項３何れかに記載の排水栓の駆動機構。
【発明の詳細な説明】
【技術分野】
【０００１】
本発明は、排水栓の駆動機構に関するものである。
【背景技術】
【０００２】
従来、この種の排水栓の駆動機構として、例えば特許文献１に開示されているようなものがあり、この特許文献１に開示されている構造では、排水栓に第１マグネットをロッドを介して固設するとともに、第２マグネットを作用位置と退避位置との間で水平移動可能に配設して、第１マグネットと第２マグネットとの反発力により、排水栓を開動作させることができるものとしている。
【先行技術文献】
【特許文献】
【０００３】
【特許文献１】特開平７−３１７１１８号公報
【発明の概要】
【発明が解決しようとする課題】
【０００４】
上記特許文献１に開示されている構造では、第２マグネットの極性を水平方向に配置する必要があるため、第２マグネットが大型化し、この第２マグネットを作用位置と退避位置との間で水平に動かす際に、相当な操作荷重が必要となり、水平に動かすための操作ストロークが大となってしまうという問題点があった。また、第２マグネットを含む駆動機構に排水による汚れが溜まり易いという問題点があった。
【課題を解決するための手段】
【０００５】
本発明は、排水栓を開閉させるために必要な操作ストロークを小さくでき、また、駆動機構に汚れが溜まりにくい排水栓の駆動機構の提供を目的とし、この目的の少なくとも一部を達成するために以下の手段を採った。
本発明の排水栓の駆動機構は、排水管内の排水栓ロッドの下端部に第１磁石を設け、該第１磁石の下方の排水管の外側に、第２磁石を軸を介し上下方向に回動可能に設け、第２磁石が回動されることで、前記第１磁石と第２磁石との間に生じる反発力によって前記排水栓ロッドが上昇するように構成したことを要旨とする。
【発明の効果】
【０００６】
本発明の排水栓の駆動機構では、軸を介し第２磁石が回動されると、第１磁石と第２磁石との間に生じる反発力によって排水栓ロッドが上昇し、良好に排水栓を開けることができ、第２磁石を回動させるだけの操作で良いため、操作ストロークが小さくなり、操作荷重も小さくすることができる。また、軸および第２磁石は排水管の外側に設けることができて、汚れが生ずることが少ないものとなる。
【０００７】
また、本発明の排水栓の駆動機構において、第２磁石を保持した磁石ホルダを１８０°回動できるように構成し、
該磁石ホルダを回動させて前記第２磁石を裏表反転させることで、該第２磁石と前記第１磁石との間に吸着力あるいは反発力を生じさせて前記排水栓ロッドが昇降するように構成することもできる。
こうすれば、第２磁石と第１磁石との間で吸着力が生じている時には、排水栓ロッドを下降させて排水栓を閉じることができ、この状態で磁石ホルダを１８０°回転させて第２磁石の裏表を反転させることで、第２磁石と第１磁石との間に反発力が生じて、排水栓ロッドを上昇させて排水栓を開くことができるものとなり、磁石の極性を有効に使えて、より確実に排水栓の開閉ができるものとなる。
【０００８】
また、本発明の排水栓の駆動機構において、前記第１磁石および第２磁石は、共に円柱形に形成され、第１磁石の直径よりも第２磁石の直径が１０％以上大径に設定されているものとすることもできる。
こうすれば、第１磁石の中心軸と第２磁石の中心軸との間で軸ズレが起こった場合でも、十分な磁力が得られて、排水栓を安定して開閉できるものとなる。
【０００９】
また、本発明の排水栓の駆動機構において、前記排水栓ロッドの上端に設けられている栓本体の直下の前記排水管内に、該排水管内の流路面積を狭めるヘアキャッチャーを前記栓本体の開閉動作に対し独立した状態に配設し、
前記栓本体が開かれた時に前記排水管内に流下する水が前記ヘアキャッチャーにより抵抗を受けて該排水管内の圧力が高まるように構成することもできる。
こうすれば、反発力が小さい磁石であっても栓本体のリフトアップ量を十分確保することができ、これにより洗面器内等に溜めた水の排水時間を短くすることができる。
【図面の簡単な説明】
【００１０】
【図１】洗面台の概略構成図である。
【図２】第１実施例の排水栓の閉栓状態の縦断面構成図である。
【図３】第１実施例の排水栓の開栓状態の縦断面構成図である。
【図４】第１実施例の変更例を示し、排水栓の閉栓状態の縦断面構成図である。
【図５】第１実施例の変更例を示し、排水栓の開栓状態の縦断面構成図である。
【図６】第２実施例の排水栓の駆動機構の閉栓状態の概略配置構成図である。
【図７】第２実施例の排水栓の駆動機構の開栓状態の概略配置構成図である。
【図８】第３実施例の排水栓を取り付けた洗面器の概略構成図である。
【図９】第３実施例の排水栓の縦断面構成図である。
【図１０】第３実施例の排水栓における栓本体，ヘアキャッチャー等の構成部材の分解斜視図である。
【図１１】第３実施例の排水栓の開栓状態の違う方向から見た縦断面構成図である。
【図１２】第３実施例の排水栓の閉栓状態の図１１に対応した縦断面構成図である。
【図１３】第４実施例の排水栓の縦断面構成図である。
【発明を実施するための形態】
【００１１】
次に、本発明を実施するための形態を実施例を用いて説明する。
図１は、洗面台の概略構成図であり、洗面台１は、キャビネット２の上面にカウンター３が設置されており、カウンター３には洗面器４が設けられ、この洗面器４の底部４ａに排水口４ｂが形成されており、この排水口４ｂを開閉するための排水栓５が洗面器４の底部４ａに取り付けられている。この排水栓５の下流側にはトラップ管６が接続されている。
排水栓５を開閉操作するために、排水栓５にはワイヤー２３が接続されており、ワイヤー２３の先端には操作部２４が設けられ、この操作部２４は洗面台のカウンター３の上方に設けられている。
【実施例１】
【００１２】
排水栓５の第１実施例を、図２の閉栓状態と図３の開栓状態のそれぞれの縦断面図で説明する。
洗面器底部４ａの排水口４ｂには、排水管７が固定ナット８を締め付けて垂下状に取り付けられており、この排水管７内には、上下動可能にロッド９が垂下状に配設され、ロッド９の上端には、下面にパッキン１１を有する栓本体１０が設けられている。
また、排水管７の下端側には、接続ナット１２を介して連結管１３が連結され、この連結管１３にＬ字状の排水Ｌ管１４が接続されており、この排水Ｌ管１４の下流端が、前述したトラップ管６に接続されるものである。
【００１３】
ロッド９の下端には、固定部材１５を介して円柱形の第１磁石１６が固定されている。この第１磁石１６は、裏表でＮ極とＳ極が形成されており、例えば上側がＳ極１６ａとなっており、下側がＮ極１６ｂとなっている。
この第１磁石１６の下方側には、排水Ｌ管１４の外側に駆動部ケース１７が設けられており、この駆動部ケース１７内には、軸１８を中心として上下方向へ回動可能に磁石ホルダ１９が配置されている。
磁石ホルダ１９の図２における図示右端には第２磁石２０が外れないように強固に固定されて保持されている。この第２磁石２０は円柱形に形成されており、左右でＮ極とＳ極が形成されており、例えば図示左側がＳ極２０ａであり、図示右側がＮ極２０ｂとなっている。なお、組み立て時に間違えないようにＳ極２０ａには色が付いている。
【００１４】
なお、軸１８は、図２における磁石ホルダ１９の左端側上部部位に配置されたものであり、この軸１８の下方側の磁石ホルダ１９の左端に当接して、ピストン２１が駆動部ケース１７内にシール材２２を介して水密状に設けられ、ピストン２１は左右方向へ移動可能である。このピストン２１にはワイヤー２３が接続されており、ワイヤー２３は前述した如く、その先端がカウンター３上の操作部２４に接続されている。
【００１５】
図２の閉栓状態では、第１磁石１６のＮ極１６ｂと第２磁石２０のＮ極２０ｂは遠く離れているが、第２磁石２０のＳ極２０ａは第１磁石１６のＮ極１６ｂと比較的近い位置にあるため、第１磁石１６のＮ極１６ｂと第２磁石２０のＳ極２０ａ間で吸着力が作用し、ロッド９には下方へ向かう力が作用して、栓本体１０のパッキン１１が排水管７の上端内周に密着して、栓本体１０が排水口４ｂを閉じた状態に保持されている。
【００１６】
この閉栓状態から、使用者が操作部２４を操作すると、ワイヤー２３を介して図３に示すように、ピストン２１が駆動部ケース１７内で図示右方向へ移動し、ピストン２１が磁石ホルダ１９を右側へ押圧し、これにより軸１８を中心として磁石ホルダ１９は上方へ９０°回転され、第２磁石２０が第１磁石１６の真下位置に配置される。
この状態では、第２磁石２０のＮ極２０ｂが上面側となり、上方の第１磁石１６の下面側のＮ極１６ｂと反発して反発力が生じ、これによりロッド９に上向きの作用力が働き、ロッド９が上昇して、栓本体１０が排水管７の上端から上方へ移動し、排水口４ｂが開かれて、洗面器４内の水は、排水管７と排水Ｌ管１４を通り、更にトラップ管６を通って排水されることとなる。
【００１７】
このように、閉栓状態から開栓状態にする際には、ピストン２１を介して磁石ホルダ１９とともに第２磁石２０を上方へ９０°回転させるものであるため、ピストン２１の僅かな移動量で良好に第２磁石２０を上方へ回転させることができ、ピストン２１の移動量が少ないため操作ストロークが極めて小さくて済み、また、軸１８を介して磁石ホルダ１９を上方へ回転させるだけであるので操作荷重も小さいものとなり、スムーズに操作部２４により排水栓５を開閉操作することができるものとなる。
また、本例においては第２磁石２０を上下方向に回動するものとしたが、第２磁石２０は左右方向に回動するものとしても良い。
【００１８】
なお、排水Ｌ管１４の外側に駆動部である駆動部ケース１７が配置されているため、排水が磁石ホルダ１９やピストン２１に触れることはなく、そのため、駆動部ケース１７内が排水により汚されるようなこともなく、第１磁石１６側のみを掃除すれば良いこととなり、掃除が容易なものとなる。
【００１９】
なお、開栓状態では、図３のように、第１磁石１６の真下に第２磁石２０がほぼ同軸状に配置されるが、第１磁石１６の中心軸と第２磁石２０の中心軸とがずれる場合があり、特に第１磁石１６側に軸ズレが生じやすいが、軸ズレが生じた場合にも、確実に第１磁石１６の真下に第２磁石２０が配置されるように、第１磁石１６の直径よりも第２磁石２０の直径が１０％以上大径なものに設定されている。
即ち、第１磁石１６は排水Ｌ管１４内に配置されているため、直径を大きくすることはできないが、第２磁石２０は排水Ｌ管１４の外側にあるため、直径を大きくすることができるものであり、第２磁石２０の直径を大きくして、第１磁石１６との間の軸ズレによる磁力の低下を回避し、栓本体１０の開閉を安定して行えるようにしている。
【００２０】
なお、ロッド９の上下移動方向に対して、ピストン２１はほぼ水平な方向に移動するように配置されているため、ロッド９からピストン２１に押し戻し力が作用することはない。
即ち、ロッド９の移動方向とピストン２１の移動方向は直交状であるため、ロッド９が下降しようとする力がピストン２１に伝達されることはなく、意図せずに勝手にロッド９および栓本体１０が下降して排水口４ｂを閉ざしてしまうような事態は生じないものである。
また、押し戻し力がワイヤー２３に伝わることもないため、ワイヤー２３の作動不良が生じることもなく、安定した開閉操作が行えるものとなる。
【００２１】
次に、図４および図５では、第１実施例の変更例を示す。
なお、図４および図５において、図２および図３と同一部材については同一符号を付して、その説明は省略する。
図４および図５では磁石ホルダ１９が小型のものとなっており、図４における磁石ホルダ１９の上端部に軸１８が設けられている。
また、第２磁石２０はＳ極とＮ極が形成されたものではなく、例えばＮＮ極で構成されたものである。また、ロッド９の下端に固定された第１磁石１６もＳ極とＮ極が形成されたものではなく、例えばＮＮ極で形成されたものとなっている。
【００２２】
従って図４のような閉栓状態では、第１磁石１６と第２磁石２０間に吸着力は発生せず、ロッド９および栓本体１０は自重で下降して、排水口４ｂを閉ざした状態に保持される。
図４の閉栓状態から、操作部２４を操作してワイヤー２３を介しピストン２１を図５のように図示右側へ移動させると、ピストン２１に押されて、軸１８を中心として磁石ホルダ１９が上方へ９０°回転され、これにより、第２磁石２０は第１磁石１６の真下に配置されることとなり、第２磁石２０のＮ極と第１磁石１６のＮ極が反発し、反発力によりロッド９が上方へ押され、上端の栓本体１０が上昇して排水口４ｂが開かれるものである。
この図４および図５では、磁石ホルダ１９をより小型のものとすることができ、栓本体１０を開ける際の操作ストロークおよび操作力を極めて小さくすることができて、駆動部を小型化させることができる。
【００２３】
なお、第１磁石１６および第２磁石２０は共に円柱形に形成されており、第１磁石１６の直径ａに対し、第２磁石２０の直径ｂは１０％程度大径に設定されている。
従って、第１磁石１６に軸ズレが生じた場合でも、第２磁石２０は大径であるため、図５のような開栓状態において、第２磁石２０は第１磁石１６のほぼ真下に良好に配置され、十分な磁力、即ち反発力が得られて、栓本体１０が安定して開けられるものである。
【００２４】
なお、図２および図３と同様に、ロッド９の移動方向とピストン２１の移動方向は直交状であるため、ロッド９が下降しようとする力が、ピストン２１に押し戻し力として作用することはなく、意図せずに勝手に閉栓してしまうような事態は生じない。
また、押し戻し力がワイヤー２３に伝わることもないため、ワイヤー２３の作動不良が生じることもなく、安定した開閉操作が行えるものとなる。
【実施例２】
【００２５】
次に、図６および図７で示すものは第２実施例であり、排水栓の駆動機構の要部のみを示すものである。なお、排水栓を構成する他の部材は図２および図３の第１実施例で示したものと同一であるため、図示および説明は省略する。
第２実施例では、第１磁石１６は図２および図３と同様に、排水栓５のロッド９の下端に固定部材１５を介して固定状に設けられたものであり、円柱状に形成されており、例えば上側がＳ極１６ａに形成され、下側がＮ極１６ｂに形成されている。
【００２６】
第２磁石２０は円柱形に形成され、直径が第１磁石１６よりも１０％程度大径に形成されており、例えば図６の状態における上面側がＳ極２０ａとなっており、下側がＮ極２０ｂとなっている。この第２磁石２０中心部には軸１８が設けられている。
また、この第２磁石２０を保持する磁石ホルダ１９は側面視円形に形成されており、その内部に第２磁石２０および軸１８が保持されており、この磁石ホルダ１９の外周には、ピニオンギヤ１９ａが設けられている。
一方、ピストン２１の上面には、ピニオンギヤ１９ａと噛合するラックギヤ２１ａが設けられている。
この磁石ホルダ１９とピストン２１は図示しない駆動部ケース１７内に設けられて排水Ｌ管１４の外側に配置されたものである。
【００２７】
図６の閉栓状態では、ロッド９の下端の第１磁石１６のＮ極１６ｂに、第２磁石２０のＳ極２０ａが対面して、両者間に吸着力が生じ、これにより、ロッド９は下方側に向かう作用力を受けて、良好に栓本体１０が排水口４ｂを閉状態に維持することができるものである。
【００２８】
使用者により操作部２４が操作されて、ワイヤー２３を介しピストン２１が図７のように図示右側へ移動されると、ラックギヤ２１ａに噛合されているピニオンギヤ１９ａを介して磁石ホルダ１９が１８０°回転し、これにより、第２磁石２０のＳ極とＮ極が反転して、第２磁石２０のＮ極２０ｂが上側に配置される。
従って、第１磁石１６の下側のＮ極１６ｂと第２磁石２０のＮ極２０ｂが反発して反発力が生じ、この反発力がロッド９を上向きに上昇させる作用力となり、ロッド９が上昇して栓本体１０が排水口４ｂから離れて開栓状態となる。
【００２９】
このようにピストン２１の移動により磁石ホルダ１９が１８０°回転することで、第２磁石２０の裏表が反転して、裏表側の極性が反対極となり、第１磁石１６と第２磁石２０との間に吸着力や反発力が生じ、ロッド９を確実に昇降させて、確実に栓本体１０を開閉させることができるものとなる。
なお、磁石ホルダ１９とピストン２１は駆動部ケース１７内に設けられて、排水Ｌ管１４の外側に配置されているため、排水が磁石ホルダ１９やピストン２１に触れることはなく、そのため、駆動部ケース１７内が排水により汚されるようなこともない。
【００３０】
なお、本例においても、第２磁石２０の直径を第１磁石１６の直径よりも大径に形成させておくことにより、両者間の軸ズレによる磁力の低下を防いで、確実に両者間で十分な磁力が得られるものとなる。
なお、ロッド９の上下移動方向とピストン２１の左右移動方向は直交状であるため、ロッド９が下降しようとする力が、ピストン２１に押し戻し力として作用することはなく、意図せず勝手に栓本体１０が閉まってしまうような事態が生ずることはないものである。また、ワイヤー２３にも押し戻し力が伝わることはないため、ワイヤー２３の作動不良が生じることもなく、安定した開閉操作が行える。
【実施例３】
【００３１】
図８は、第３実施例の排水栓を取り付けた洗面器の断面構成図である。
カウンター３に設置された洗面器４の底部４ａには排水口４ｂが形成されており、この排水口４ｂには、排水口４ｂを開閉する排水栓５が取り付けられている。この排水栓５から延びるオーバーフローホース接続エルボ２７には、洗面器４に形成されているオーバーフロー口４ｃに接続されたオーバーフローホース２８が接続され、オーバーフロー水がこのオーバーフローホース２８を通り、トラップ管接続部１４ａを通って図示しないトラップ管に排水されるものである。
【００３２】
排水栓５は、図９に縦断面拡大図で示すような構造となっている。
この排水栓５は、洗面器４の排水口４ｂの上方から排水管７を差し込み、この排水管７に対し洗面器４の下方側から固定ナット８を締め付けて、洗面器４に固定状に取り付けられるものである。
固定ナット８の外周には、袋ナットで構成される接続ナット１２が下方側から締め付けられ、この接続ナット１２を介して排水管７の下方に連続状に排水Ｌ管１４が接続されるものであり、本例の排水Ｌ管１４は、分岐状に垂下するトラップ管接続部１４ａを備え、このトラップ管接続部１４ａに図示しないトラップ管６が接続されるものである。
また、トラップ管接続部１４ａの分岐部から図示右方向に延びた部分に平パッキンを介在させて袋ナット２６を締め付けて、オーバーフロー接続エルボ２７を取り付けできるように構成されている。オーバーフロー接続エルボ２７が排水栓５と対向した位置に配置されていることにより、槽体からの排水が排水栓５を通りオーバーフロー接続エルボ２７へ流れ込み排水路を塞ぐため、オーバーフローからの空気が巻き込まれ難くなり排水時の異音（ゴボゴボ音）が発生しないことで、排水音が静かになる。
【００３３】
なお、前記固定ナット８を締め付ける際に、固定ナット８と洗面器４の下端間には平パッキンが設けられ、また、固定ナット８の下端と排水Ｌ管１４との当接部には平パッキンと固定リングが介在されるものである。
この排水栓５の排水管７内に縦方向に配置されるロッド９の上端には、排水口４ｂを開閉する栓本体１０が設けられており、栓本体１０の下端外周にはパッキン１１が設けられている。
なお、この栓本体１０はロッド９から着脱させることができるものである。
ロッド９の下端には固定部材１５を介して第１磁石１６が取り付けられている。この第１磁石１６は、本例では永久磁石であるネオジム磁石を用いており、上側がＮ極、下側がＳ極となっている。
【００３４】
また、本例では、栓本体１０の直下の排水管７内にヘアキャッチャー３０が配設されている。
図１０の分解図で示すように、このヘアキャッチャー３０には水が通る多数の通し孔が形成されていることにより、通水面積が狭められヘアキャッチャー３０を通過する水に抵抗が生ずるように構成されており、このヘアキャッチャー３０が排水管７内の栓本体１０の直下に配置されることにより、排水管７内の流路面積が狭められるように構成されている。
【００３５】
なお、ヘアキャッチャー３０の中心部にはロッド９が遊挿されており、ロッド９が上下動しても、ヘアキャッチャー３０は何ら上下動することなく、排水管７の所定位置に固定状態で保持されるものである。
なお、ロッド９の下端側にはバランサー３１が取り付けられており、このバランサー３１の下方のロッド９の下端位置に、磁石用パッキン３２を介在させて第１磁石１６が配置され、第１磁石１６は固定部材１５によりロッド９の下端側に固定保持されている。
【００３６】
一方、第１磁石１６の下方の排水Ｌ管１４の外側には、磁石ホルダ１９に保持されて第２磁石２０が設けられている。第２磁石２０が磁石ホルダ１９から外れると排水栓が閉まった状態で固着してしまうため、第２磁石２０が外れないように接着やツメ嵌合で固定してある。
この第２磁石２０も永久磁石であるネオジム磁石を用いており、図９で上側がＳ極、下側がＮ極となるように構成されている。第２磁石２０と磁石ホルダ１９を組み立てる際にＮ極とＳ極を逆にすると、排水栓が閉まった状態で固着してしまうため、Ｓ極側に色をつけると良い。
【００３７】
図１１は、違う方向から見た排水栓５の縦断面構成図であり、栓本体１０が開いた状態を示している。また、図１２は、栓本体１０が排水口４ｂを閉ざした状態を示している。
図示しない洗面台に設けられた操作部２４が操作されることで、ワイヤー２３を介して図１１のように、ピストン２１が図示左方向に移動し、これにより、軸１８を中心として磁石ホルダ１９が上方へ回転し、磁石ホルダ１９に強固に取り付けられている第２磁石２０が第１磁石１６に近づけられることにより、両者に反発力が生じて、ロッド９が上昇し、排水口４ｂを開けることができる。
【００３８】
また、図１２のように、ワイヤー２３を介してピストン２１が図示右方向へ移動されると、軸１８を中心として磁石ホルダ１９が垂下状態に下降し、第２磁石２０が第１磁石１６から離れるため、この場合はロッド９が自重により下降し、これにより排水栓の栓本体１０が排水口４ｂに当接されて、排水口４ｂが閉ざされるものである。
【００３９】
逆に、図１２の閉栓状態から図１１の開栓状態に至る過程の作用について更に詳しく説明すると、図１２の閉栓状態において、栓本体１０を閉じて洗面器４に水を溜めた時には、溜めた水の水頭圧により、下向きの力が栓本体１０の上面に掛かっている。この状態で操作部２４を操作して、図１１のように、第２磁石２０を第１磁石１６の下方に配置させると、水頭圧に勝る磁石の反発力によりロッド９が上昇され、栓本体１０が少し開くこととなる。
この状態では、洗面器４に溜めてあった水が排水口４ｂから排水管７内に流下し、排水Ｌ管１４のトラップ管接続部１４ａ側へ流れ始めるが、ロッド９が上昇した分、第１磁石１６の位置も上昇しており、第１磁石１６と第２磁石２０間の距離が大きくなってしまうため、磁石の反発力は小さいものとなり、そのため、栓本体１０は開きにくい状態となる。
【００４０】
しかし本例では、排水管７内に排水管内の流路面積を狭めるヘアキャッチャー３０が配置されており、排水口４ｂから排水管７内に流下する水は、ヘアキャッチャー３０により抵抗を受け、排水管７内の圧力が高まることとなり、排水管７内の圧力が高まると、栓本体１０の下面に上向きの力が作用し、この上向きの力が洗面器４に溜められた水の水頭圧による下向きの力と相殺されることとなり、栓本体１０を下向きに押す力が弱まり、これにより磁石１６，２０間の反発力により更にロッド９が上昇して、栓本体１０が大きく開かれることとなり、栓本体１０のリフトアップ量が大となって、その後、磁石１６，２０間の距離が更に大きくなることにより、この磁石１６，２０間の反発力と栓本体１０の上面に掛かる下向きの力とが同じになった状態でロッド９の上昇が止まることとなる。
【００４１】
このように本例では、ヘアキャッチャー３０を排水管７内に配置して、排水管７内の流路面積を狭めたものであり、また、このヘアキャッチャー３０はロッド９と何ら連結されていないために、ヘアキャッチャー３０に下向きの力が掛かった時にもロッド９には下向きの力が掛かることはない。即ち、ヘアキャッチャー３０は、ロッド９，栓本体１０の開閉動作に対して独立して配置されているものであり、このようにヘアキャッチャー３０を排水管７内に設けることで、反発力が小さい磁石１６，２０であっても栓本体１０のリフトアップ量を十分確保することができ、これにより洗面器４内に溜めた水等の排水時間を短くすることができ、また、磁石１６，２０は反発力をさほど大きくする必要がないため操作荷重も大きくなることはなく、スムーズに操作して十分な栓本体１０のリフトアップ量を確保でき、排水時間を短縮させることができるものである。
なお、ロッド９の上下移動方向とピストン２１の左右移動方向は直交状であるため、ロッド９が下降しようとする力がピストン２１に押し戻し力として作用することはない。
【実施例４】
【００４２】
次に、図１３には第４実施例の排水栓の縦断面構成図を示す。
この図１３では、洗面器４の排水口４ｂの下から排水管７を当接させて、スポンジテープ３４およびブチルテープ３５を介在させて洗面器４と排水管７間の水密性を確保し、下からビスで洗面器４に排水管７を取り付ける構成のものである。
この排水管７内にも、排水管７内の流路面積を狭めるヘアキャッチャー３０がロッド９の上下動と独立して固定状に配設されており、ロッド９の下端には第１磁石１６が設けられている。また、排水管７の下方に接続ナット１２を締め付けて連続状に排水Ｌ管１４が接続されており、排水Ｌ管１４の分岐したトラップ管接続部１４ａの図示右側には直管状のオーバーフロー接続継手３６が袋ナット２６を締め付けて接続されている。
【００４３】
図１３においても、排水Ｌ管１４の外側の下方に、軸１８を介して回動する第２磁石２０を固定した磁石ホルダ１９が設けられ、この磁石ホルダ１９は、水平方向に移動するピストン２１により回動操作されるものであり、前記図１１および図１２で示したものと同様な開弁時の作用が行われる。
即ち、洗面器４内に水を溜めた状態で、第２磁石２０が第１磁石１６に近づけられると、ロッド９が上昇して栓本体１０が少し上昇した時に、溜められた水が排水管７内に流下し、流下する水がヘアキャッチャー３０により抵抗を受けて排水管７内の圧力が高まり、これにより栓本体１０の下面に上向きの力が作用して、栓本体１０が上昇し、栓本体１０が更に開かれて排水を速めることができるものである。従って、磁石１６，２０に反発力の小さいものを用いても良好に栓本体１０のリフトアップ量を確保することができ、操作荷重も小さくなり、スムーズな開閉操作が可能となる。
【符号の説明】
【００４４】
１  洗面台
４  洗面器
４ａ  底部
４ｂ  排水口
５  排水栓
７  排水管
９  ロッド
１０  栓本体
１４  排水Ｌ管
１４ａ  トラップ管接続部
１５  固定部材
１６  第１磁石
１６ａ  Ｓ極
１６ｂ  Ｎ極
１７  駆動部ケース
１８  軸
１９  磁石ホルダ
１９ａ  ピニオンギヤ
２０  第２磁石
２０ａ  Ｓ極
２０ｂ  Ｎ極
２１  ピストン
２１ａ  ラックギヤ
２３  ワイヤー
２４  操作部
２７  オーバーフローホース接続エルボ
２８  オーバーフローホース
３０  ヘアキャッチャー
３６  オーバーフロー接続継手
【図１】
0006045279.tif 000002
【図２】
0006045279.tif 000003
【図３】
0006045279.tif 000004
【図４】
0006045279.tif 000005
【図５】
0006045279.tif 000006
【図６】
0006045279.tif 000007
【図７】
0006045279.tif 000008
【図８】
0006045279.tif 000009
【図９】
0006045279.tif 000010
【図１０】
0006045279.tif 000011
【図１１】
0006045279.tif 000012
【図１２】
0006045279.tif 000013
【図１３】
0006045279.tif 000014